(57)【特許請求の範囲】
【請求項１】
複数の基地局と無線通信する無線通信手段と、
無線ＬＡＮのアクセスポイントと無線通信する無線ＬＡＮ通信手段と、
前記無線ＬＡＮ通信手段が前記アクセスポイントに接続したときに、該アクセスポイントを識別する識別情報を記憶する識別情報記憶手段と、
前記アクセスポイントとの接続を解除したときに、前記アクセスポイントとの接続が可能であることを通知するＡＰ接続可能通知手段と、
前記無線通信手段が受信した前記基地局の電波に基づいて、前記アクセスポイントとの接続ができないことを通知するＡＰ接続不能通知手段と、
を備え、
前記ＡＰ接続不能通知手段は、
前記無線通信手段が通信する前記基地局が変わったとき又は前記無線通信手段が前記基地局のいずれとも通信することができないときに、前記識別情報記憶手段に記憶した識別情報が付された前記アクセスポイントをサーチするサーチ手段と、
前記サーチ手段が前記アクセスポイントを見つけることができないときに、前記アクセスポイントとの接続ができないことを通知する通知手段と、
を備えることを特徴とする携帯端末。
【請求項２】
複数の基地局と無線通信する無線通信工程と、
無線ＬＡＮのアクセスポイントと無線通信する無線ＬＡＮ通信工程と、
前記無線ＬＡＮ通信工程で前記アクセスポイントに接続したときに、該アクセスポイントを識別する識別情報を記憶する識別情報記憶工程と、
前記アクセスポイントとの接続を解除したときに、前記アクセスポイントとの接続が可能であることを通知するＡＰ接続可能通知工程と、
前記無線通信工程で受信した前記基地局の電波に基づいて、前記アクセスポイントとの接続ができないことを通知するＡＰ接続不能通知工程と、
を備え、
前記ＡＰ接続不能通知工程は、
前記無線通信工程で通信する前記基地局が変わったとき又は前記無線通信工程で前記基地局のいずれとも通信することができないときに、前記識別情報記憶工程で記憶した識別情報が付された前記アクセスポイントをサーチするサーチ工程と、
前記サーチ工程で前記アクセスポイントを見つけることができないときに、前記アクセスポイントとの接続ができないことを通知する通知工程と、
を備えることを特徴とする通信方法。
【請求項３】
コンピュータに、
複数の基地局と無線通信する無線通信手順と、
無線ＬＡＮのアクセスポイントと無線通信する無線ＬＡＮ通信手順と、
前記無線ＬＡＮ通信手順で前記アクセスポイントに接続したときに、該アクセスポイントを識別する識別情報を記憶する識別情報記憶手順と、
前記アクセスポイントとの接続を解除したときに、前記アクセスポイントとの接続が可能であることを通知するＡＰ接続可能通知手順と、
前記無線通信手順で受信した前記基地局の電波に基づいて、前記アクセスポイントとの接続ができないことを通知するＡＰ接続不能通知手順と、
を実行させ、
前記ＡＰ接続不能通知手順では、
前記無線通信手順で通信する前記基地局が変わったとき又は前記無線通信手順で前記基地局のいずれとも通信することができないときに、前記識別情報記憶手順で記憶した識別情報が付された前記アクセスポイントをサーチするサーチ手順と、
前記サーチ手順で前記アクセスポイントを見つけることができないときに、前記アクセスポイントとの接続ができないことを通知する通知手順と、
を実行させることを特徴とするプログラム。
【発明の詳細な説明】
【技術分野】
【０００１】
本発明は、携帯端末、通信方法及びプログラムに関する。
【背景技術】
【０００２】
無線ＬＡＮ（Local Area Network）のＡＰ（Access Point）に接続可能な携帯端末が市販されている。このような携帯端末は、一旦ＡＰに接続した後、接続できなくなった場合に、接続していたＡＰを自動でサーチし、再接続を試みる。
これに関連し、接続できなくなったＡＰを自動でサーチする際に、サーチ中である旨を表示部に表示しつつ、ユーザの操作指示に応答してサーチを終了する技術が提案されている（例えば、特許文献１を参照）。
【先行技術文献】
【特許文献】
【０００３】
【特許文献１】特開２００７−２６６９８４号公報
【発明の概要】
【発明が解決しようとする課題】
【０００４】
特許文献１に開示された技術を適用した携帯端末は、ＡＰに常時接続するため、消費電力を浪費する。これに対し、必要なときだけＡＰに接続することができる携帯端末は、ＡＰに常時接続しないため、消費電力を抑えることができる。
しかし、携帯端末は移動するため、前述した何れの携帯端末であっても、その位置によってはＡＰに接続できず、ＡＰに接続する際の利便性の向上が望まれていた。
【０００５】
本発明は、上記実情に鑑みてなされたものであり、ＡＰに接続する際の利便性を向上した携帯端末、通信方法及びプログラムを提供することを目的とする。
【課題を解決するための手段】
【０００６】
上記目的を達成するため、本発明の第１の観点に係る携帯端末は、
複数の基地局と無線通信する無線通信手段と、
無線ＬＡＮのアクセスポイントと無線通信する無線ＬＡＮ通信手段と、
前記無線ＬＡＮ通信手段が前記アクセスポイントに接続したときに、該アクセスポイントを識別する識別情報を記憶する識別情報記憶手段と、
前記アクセスポイントとの接続を解除したときに、前記アクセスポイントとの接続が可能であることを通知するＡＰ接続可能通知手段と、
前記無線通信手段が受信した前記基地局の電波に基づいて、前記アクセスポイントとの接続ができないことを通知するＡＰ接続不能通知手段と、
を備え、
前記ＡＰ接続不能通知手段は、
前記無線通信手段が通信する前記基地局が変わったとき又は前記無線通信手段が前記基地局のいずれとも通信することができないときに、前記識別情報記憶手段に記憶した識別情報が付された前記アクセスポイントをサーチするサーチ手段と、
前記サーチ手段が前記アクセスポイントを見つけることができないときに、前記アクセスポイントとの接続ができないことを通知する通知手段と、
を備えることを特徴とする。
【０００７】
上記目的を達成するため、本発明の第２の観点に係る通信方法は、
複数の基地局と無線通信する無線通信工程と、
無線ＬＡＮのアクセスポイントと無線通信する無線ＬＡＮ通信工程と、
前記無線ＬＡＮ通信工程で前記アクセスポイントに接続したときに、該アクセスポイントを識別する識別情報を記憶する識別情報記憶工程と、
前記アクセスポイントとの接続を解除したときに、前記アクセスポイントとの接続が可能であることを通知するＡＰ接続可能通知工程と、
前記無線通信工程で受信した前記基地局の電波に基づいて、前記アクセスポイントとの接続ができないことを通知するＡＰ接続不能通知工程と、
を備え、
前記ＡＰ接続不能通知工程は、
前記無線通信工程で通信する前記基地局が変わったとき又は前記無線通信工程で前記基地局のいずれとも通信することができないときに、前記識別情報記憶工程で記憶した識別情報が付された前記アクセスポイントをサーチするサーチ工程と、
前記サーチ工程で前記アクセスポイントを見つけることができないときに、前記アクセスポイントとの接続ができないことを通知する通知工程と、
を備えることを特徴とする通信方法。
【０００８】
上記目的を達成するため、本発明の第３の観点に係るプログラムは、
コンピュータに、
複数の基地局と無線通信する無線通信手順と、
無線ＬＡＮのアクセスポイントと無線通信する無線ＬＡＮ通信手順と、
前記無線ＬＡＮ通信手順で前記アクセスポイントに接続したときに、該アクセスポイントを識別する識別情報を記憶する識別情報記憶手順と、
前記アクセスポイントとの接続を解除したときに、前記アクセスポイントとの接続が可能であることを通知するＡＰ接続可能通知手順と、
前記無線通信手順で受信した前記基地局の電波に基づいて、前記アクセスポイントとの接続ができないことを通知するＡＰ接続不能通知手順と、
を実行させ、
前記ＡＰ接続不能通知手順では、
前記無線通信手順で通信する前記基地局が変わったとき又は前記無線通信手順で前記基地局のいずれとも通信することができないときに、前記識別情報記憶手順で記憶した識別情報が付された前記アクセスポイントをサーチするサーチ手順と、
前記サーチ手順で前記アクセスポイントを見つけることができないときに、前記アクセスポイントとの接続ができないことを通知する通知手順と、
を実行させることを特徴とする。
【発明の効果】
【０００９】
本発明によれば、ＡＰに接続する際の利便性を向上することができる。
【図面の簡単な説明】
【００１０】
【図１】本発明の実施形態に係る無線通信システムの構成を示すブロック図である。
【図２】図１に示す携帯電話の構成を示すブロック図である。
【図３】（ａ）乃至（ｃ）はそれぞれ、接続情報記憶部、基地局情報記憶部、プロファイルＤＢを説明するための図である。
【図４】図２に示す制御部が実行するＡＰ接続処理を説明するためのフローチャートである。
【図５】図２に示す制御部が実行するＡＰ接続解除処理を説明するためのフローチャートである。
【図６】ＡＰ圏アイコンの一例を示す図である。
【図７】（ａ）及び（ｂ）は、携帯電話が移動した場合の動作を説明するための図である。
【発明を実施するための形態】
【００１１】
以下、本発明の実施形態に係る無線通信システム１００を、図面を参照して説明する。
【００１２】
本実施形態に係る無線通信システム１００は、図１に示すように、無線ＬＡＮに接続可能な携帯電話１０と、複数の携帯電話１０の基地局２０（２０１〜２０ｍ）と、複数の無線ＬＡＮのＡＰ３０（３０１１〜３０ｍｎ）と、を備えている。
携帯電話１０は、図１に示すように、基地局２０ｊとの距離が所定の閾値Ｌｊ以内である範囲内Ｚｊにおいて、基地局２０ｊとの間で電波を送受信し、他の携帯電話等と通話することができる（ｊ＝１、２、・・・、ｍ）。また、携帯電話１０は、図１に示すように、ＡＰ３０ｊｋとの距離が所定の閾値Ｌｊｋ以内の範囲内ＲＡｊｋにおいて、ＡＰ３０ｊｋとの間で電波を送受信し、ＡＰ３０ｊｋを介して他の通信機器と通信することができる（ｊ＝１、２、・・・、ｍ；ｋ＝１、２、・・・、ｎ）。
【００１３】
携帯電話１０は、図２に示すように、無線通信部１０１と、無線ＬＡＮ通信部１１０と、操作部１２０と、表示部１３０と、コーデック部１４０と、スピーカ１５０と、マイク１６０と、記憶部１７０と、制御部１８０と、を備える。
【００１４】
無線通信部１０１は、ＣＤＭＡ（Code Division Multiple Access：符号分割多重接続）方式やＧＳＭ（Global Systems for Mobile communications）方式などの通信方式に応じた通信装置などから構成され、アンテナ１０１ａを介して、近傍の基地局２０と無線通信する。
無線通信部１０１は、アンテナ１０１ａを介して受信した音声信号を復調した後、復調した音声信号をコーデック部１４０に供給する。また、無線通信部１０１は、コーデック部１４０から供給された音声信号を変調した後、変調した音声信号を、アンテナ１０１ａを介して送信する。
【００１５】
無線通信部１０１は、基地局２０から発信される電波を定期的に受信し、受信した電波に含まれる基地局２０を識別する基地局ＩＤ等を基地局情報記憶部１７０２に記憶する。無線通信部１０１は、制御部１８０の要求に応答して、基地局情報記憶部１７０２に記憶した基地局ＩＤ等を制御部１８０に供給する。
また、無線通信部１０１は、今回受信した電波に含まれる基地局ＩＤが基地局情報記憶部１７０２に記憶されている前回受信した電波に含まれる基地局ＩＤと異なる場合、制御部１８０に、基地局ＩＤが変わった旨を通知する。
【００１６】
無線ＬＡＮ通信部１１０は、Ｅｔｈｅｒｎｅｔ（登録商標）等の通信規格に応じた通信インタフェースなどから構成され、アンテナ１１０ａを介して、近傍のＡＰ３０と無線通信する。
【００１７】
操作部１２０は、操作ボタン、テンキー等を備え、ユーザの操作に応じた操作信号を制御部１８０に供給する。
【００１８】
表示部１３０は、ＬＣＤ（Liquid Crystal Display）などから構成され、制御部１８０の制御下、様々な画像を表示する。
【００１９】
コーデック部１４０は、コーデック、ＤＡＣ（Digital to Analog Converter）、ＡＤＣ（Analog to Digital Converter）、アンプなどから構成され、無線通信部１０１から供給されたデジタルの音声信号を復号し、アナログ信号に変換した後、変換したアナログ信号を増幅してスピーカ１５０に供給し、音声を出力させる。
また、コーデック部１４０は、マイク１６０から供給されたアナログの音声信号をデジタルの音声信号に変換し、符号化した後、符号化したデジタル信号を無線通信部１０１に供給する。
【００２０】
記憶部１７０は、磁気ディスクなどから構成され、接続情報記憶部１７０１と、基地局情報記憶部１７０２と、プロファイルＤＢ１７０３と、を備える。
【００２１】
接続情報記憶部１７０１は、図３（ａ）に示すように、携帯端末１０が接続しているＡＰ３０のＳＳＩＤ（Service Set Identifier）、暗号化方式、暗号キー等を記憶する。
基地局情報記憶部１７０２は、図３（ｂ）に示すように、携帯端末１０が通信する基地局２０を識別する基地局ＩＤ（Identifier）等を記憶する。
プロファイルＤＢ１７０３は、図３（ｃ）に示すように、携帯端末１０がＡＰ３０に接続する際に使用する、ＳＳＩＤ、暗号化方式、暗号キー等を対応付けて予め記憶している。
【００２２】
図２に示す制御部１８０は、ＣＰＵ（Central Processing Unit）、メモリなどから構成され、メモリに記憶された所定のプログラムをＣＰＵが実行することにより、ＡＰ３０と接続することができるか否かを示すアイコンを表示部１３０に表示し、所定のタイミングで当該アイコンを非表示にする。制御部１８０の機能と実行する制御の詳細については後述する。
【００２３】
次に、上記構成を有する無線通信システムの１００の動作を携帯電話１０の動作を中心に説明する。
【００２４】
携帯電話１０は、一般的な携帯電話と同様の通話機能等を有する他、ＡＰ３０をサーチし、ＡＰ３０と接続することができるか否かを示すアイコンを表示部１３０に表示する特徴的な機能を有する。
以下、理解を容易にするため、携帯電話１０がＡＰ３０に接続した後、ＡＰ３０との接続を終了する場合を例にして携帯電話１０の動作を説明する。
【００２５】
（ＡＰ接続処理）
まず、携帯電話１０がＡＰ３０に接続する動作を説明する。
ユーザは、ＡＰ３０に接続したい場合、操作部１２０を操作してその旨を指示する。制御部１８０は、ユーザからの接続指示に応答して、図４に示すＡＰ接続処理を開始し、まず、ＡＰ３０をサーチする旨のサーチ指示信号を無線ＬＡＮ通信部１１０に供給する（ステップＳ１）。
【００２６】
無線ＬＡＮ通信部１１０は、制御部１８０から供給されたサーチ指示信号に応答して、ＡＰ３０から発信されるビーコン信号を検出することにより、ＡＰ３０をサーチ（スキャン）する。無線ＬＡＮ通信部１１０は、ＡＰ３０のサーチ結果を制御部１８０に供給する。
具体的には、無線ＬＡＮ通信部１１０は、ＡＰ３０から発信されるビーコン信号を検出した場合、その旨及びビーコン信号に含まれるＳＳＩＤを制御部１８０に通知し、ビーコン信号を検出できない場合、その旨を制御部１８０に通知する。
【００２７】
制御部１８０は、ＡＰ３０のサーチ結果を無線ＬＡＮ通信部１１０から取得する（ステップＳ２）。制御部１８０は、サーチ結果がビーコン信号を検出したことを示しているか否かを判別する（ステップＳ３）。
制御部１８０は、ビーコン信号を検出したこと示していると判別した場合（ステップＳ３；Ｙｅｓ）、ビーコン信号に含まれるＳＳＩＤがプロファイルＤＢ１７０３に記憶されているＳＳＩＤのいずれかと一致するか否かを判別する（ステップＳ４）。
【００２８】
制御部１８０は、ビーコン信号に含まれるＳＳＩＤがプロファイルＤＢ１７０３に記憶されているＳＳＩＤのいずれかと一致すると判別した場合（ステップＳ４；Ｙｅｓ）、このＳＳＩＤに対応する暗号化方式及び暗号キーを含む認証要求を、無線ＬＡＮ通信部１１０を介してＡＰ３０に送信する（ステップＳ５）。
【００２９】
ＡＰ３０は、制御部１８０から送信された認証要求を受信すると、この受信要求に含まれる暗号化方式及び暗号キーに基づいて、認証するか否かを判別する。ＡＰ３０は、認証結果を無線ＬＡＮ通信部１８０に送信する。
【００３０】
制御部１８０は、認証結果が認証成功を示すか否かを判別する（ステップＳ６）。制御部１８０は、認証結果が認証成功を示すと判別した場合（ステップＳ６；Ｙｅｓ）、ＡＰ３０と接続（アソシエーション）する（ステップＳ７）。制御部１８０は、ＡＰ３０と接続する際に使用した情報を示す接続情報として、今回の接続で実際に使用したＳＳＩＤ、暗号化方式及び暗号キーを対応付けて接続情報記憶部１７０１に記憶する（ステップＳ８）。
【００３１】
なお、制御部１８０は、前述したステップＳ３で、サーチ結果がビーコン信号を検出できなかったことを示していると判別した場合（ステップＳ３；Ｎｏ）、前述したステップＳ４で、ビーコン信号に含まれるＳＳＩＤがプロファイルＤＢ１７０３に記憶されているＳＳＩＤのいずれかと一致しないと判別した場合（ステップＳ４；Ｎｏ）、前述したステップＳ６で、認証結果が認証失敗を示すと判別した場合（ステップＳ６；Ｎｏ）、以後の処理をスキップし、ＡＰ接続処理を終了する。
【００３２】
このようにして、制御部１８０は、ＡＰ３０と接続し、そのときの接続情報を接続情報記憶部１７０１に記憶する。
【００３３】
（ＡＰ接続解除処理）
携帯電話１０は、ユーザの操作指示に応答して、ＡＰ３０との接続を終了すると、ＡＰ３０と接続することができるか否かを示すアイコンを表示部１３０に表示し、所定のタイミングで非表示とする。
以下、このような携帯電話１０の特徴的な動作を説明する。
【００３４】
ユーザは、ＡＰ３０との接続を解除したい場合、操作部１２０を操作してその旨を指示する。制御部１８０は、ユーザからの接続解除指示に応答して、図５に示すＡＰ接続解除処理を開始し、まず、ＡＰ３０との接続を解除する（ステップＳ１１）。続いて、制御部１８０は、図６に示すように、ＡＰ３０への接続が可能であることを示すＡＰ圏アイコン１３１を表示部１３０に表示する（ステップＳ１２）。
【００３５】
制御部１８０は、基地局２０と通信可能な圏内であるか、即ち、携帯電話１０が通話圏内であるか否かを判別する（ステップＳ１３）。具体的には、例えば、制御部１８０は、無線通信部１０１を介して受信する電波の電波強度が所定の閾値Ｄ未満である場合、通話圏外であると判別し、所定の閾値Ｄ以上である場合、通話圏内であると判別する。
【００３６】
制御部１８０は、携帯電話１０が通話圏内であると判別した場合（ステップＳ１３；Ｙｅｓ）、最寄りの基地局２０を識別する基地局ＩＤ等を、無線通信部１０１から取得し、基地局情報記憶部１７０２に記憶する（ステップＳ１４）。
【００３７】
制御部１８０は、無線通信部１０１を介して定期的に受信した電波に含まれる基地局ＩＤが変わったか又は携帯電話１０が通話圏外となったか否かを判別する（ステップＳ１５）。
具体的には、制御部１８０は、基地局ＩＤが変わった場合、無線通信部１０１から通知を受ける。制御部１８０は、この通知に基づいて、基地局ＩＤが変わったか否かを判別することができる。
ここで、受信した電波に含まれる基地局ＩＤが変わった場合、携帯電話１０が移動したとみなすことができる。また、携帯電話１０が通話圏外となった場合も、携帯電話１０が基地局２０からの電波を受信することができない地下や施設内に移動したとみなすことができる。
【００３８】
制御部１８０は、基地局ＩＤが変わらず、且つ、携帯電話１０が通話圏内であると判別した場合（ステップＳ１５；Ｎｏ）、ステップ１５を繰り返す。
一方、制御部１８０は、基地局ＩＤが変わった又は携帯電話１０が通話圏外となったと判別した場合（ステップＳ１５；Ｙｅｓ）、接続情報記憶部１７０１に記憶されているＳＳＩＤに対応するＡＰ３０をサーチすることにより、接続を解除したＡＰ３０への再接続が可能であるか否かを判別する（ステップＳ１６）。
具体的には、制御部１８０は、無線ＬＡＮ通信部１１０が受信するビーコン信号に含まれるＳＳＩＤが接続情報記憶部１７０１に記憶されているＳＳＩＤと一致する場合、ＡＰ３０への再接続が可能であると判別し、一致しない場合、ＡＰ３０への再接続が不能であると判別する。
【００３９】
制御部１８０は、接続を解除したＡＰ３０への再接続が可能であると判別した場合（ステップＳ１６；Ｙｅｓ）、ステップ１３に処理を戻す。
一方、制御部１８０は、接続を解除したＡＰ３０への再接続ができないと判別した場合（ステップＳ１６；Ｎｏ）、ＡＰ圏アイコン１３１を非表示にする（ステップＳ１７）。
【００４０】
制御部１８０は、前述したステップＳ１３で、携帯電話１０が通話圏外であると判別した場合（ステップＳ１３；Ｎｏ）、接続を解除したＡＰ３０への再接続が可能であるか否かを判別する（ステップＳ１８）。接続を解除したＡＰ３０への再接続が可能であると判別した場合（ステップＳ１８；Ｙｅｓ）、ステップＳ１８を繰り返す。
一方、制御部１８０は、接続を解除したＡＰ３０への再接続ができないと判別した場合（ステップＳ１８；Ｎｏ）、リトライ回数が所定の閾値Ｎ以上であるか否かを判別する（ステップＳ１９）。ここで、リトライ回数は、ＡＰ３０への接続ができないときに、制御部１８０が、再接続を試みた回数であり、制御部１８０によってカウントされる。
制御部１８０は、リトライ回数が所定の閾値Ｎ未満であると判別した場合（ステップＳ１９；Ｎｏ）、ステップＳ１８に処理を戻す。
【００４１】
一方、制御部１８０は、リトライ回数が所定の閾値Ｎ以上であると判別した場合（ステップＳ１９；Ｙｅｓ）、前述したステップＳ１７に処理を進め、ＡＰ圏アイコン１３１を非表示とし（ステップＳ１７）、ＡＰ接続解除処理を終了する。
【００４２】
このようにして、制御部１８０は、ＡＰ３０との接続を終了したときに、ＡＰ圏アイコン１３１を表示部１３０に表示し、その後、携帯電話１０が移動したとみなされ、且つ、ＡＰ３０への再接続ができないときに、ＡＰ圏アイコン１３１を非表示とする。
【００４３】
以上の動作を、図５及び図７を参照して具体的に説明する。
例えば、図７（ａ）の軌跡Ｒ１に示すように、始点ＰＳでＡＰ３０１１への接続を解除した後、携帯電話１０が始点ＰＳから終点ＰＥ（地上）へ移動したとする。
この場合、制御部１８０は、始点ＰＳでＡＰ３０１１への接続を解除した後（ステップＳ１１）、ＡＰ圏アイコン１３１を表示部１３０に表示する（ステップＳ１２）。携帯電話１０は基地局２０１の電波を受信することができる範囲Ｚ１に属するため、ステップＳ１３でＹｅｓとなり、携帯端末１０と通信可能な基地局２０は基地局２０１で変わらず、且つ、通話圏外となることもないため、制御部１８０は、ステップＳ１５の処理を繰り返す。これにより、ＡＰ圏アイコン１３１は表示部１３０に表示されたままとなる。
【００４４】
一方、図７（ａ）の軌跡Ｒ１に示すように、始点ＰＳでＡＰ３０１１への接続を解除した後、携帯電話１０が始点ＰＳから終点ＰＥ（電波の届かない地下）へ移動したとする。
この場合、携帯電話１０が電波の届かない地下に移動したため、ステップＳ１３でＮｏとなり、ＡＰ３０１１の電波も届かないため、ステップＳ１８でＮｏ、ステップＳ１９でＹｅｓとなり、制御部１８０は、ＡＰ圏アイコンを非表示とする。
【００４５】
次に、図７（ｂ）の軌跡Ｒ２に示すように、始点ＰＳでＡＰ３０１１への接続を解除した後、携帯電話１０が始点ＰＳから終点ＰＥへ移動したとする。
この場合、制御部１８０は、始点ＰＳでＡＰ３０１１への接続を解除した後（ステップＳ１１）、ＡＰ圏アイコン１３１を表示部１３０に表示する（ステップＳ１２）。携帯電話１０は、移動に際し、基地局２０１の電波を受信することができる範囲Ｚ１又は基地局２０２の電波を受信することができる範囲Ｚ２に属するため、ステップＳ１３でＹｅｓとなり、携帯端末１０と通信可能な基地局２０は基地局２０１から基地局２０２に変わるため、ステップＳ１５でＹｅｓとなる。また、携帯電話１０はＡＰ３０１１の電波を受信することができる範囲ＲＡ１１を離れたため、ステップＳ１６でＮｏとなり、制御部１８０は、ＡＰ圏アイコンを非表示とする。
【００４６】
以上、説明したように、制御部１８０は、ＡＰ３０との接続を解除する際にＡＰ圏アイコン１３１を表示部１３０に表示する。また、制御部１８０は、携帯電話１０が移動することにより、携帯電話１０と通信可能な基地局２０が変わり又は携帯電話１０が通話圏外となったときに、ＡＰ圏アイコン１３１を非表示とする。
このため、ユーザは、ＡＰ３０に接続できるか否かを事前に知ることができ、ＡＰ３０に接続する際の利便性が向上する。また、ユーザは、ＡＰ圏アイコン１３１が表示部１３０に表示されている場合にのみ、ＡＰ３０への接続を指示することによって、ＡＰ３０に接続できない場所で接続を試みることが少なくなる。これにより、ＡＰ３０への無駄な接続要求が少なくなり、携帯電話１０の消費電力を低減することができる。
【００４７】
（変形例）
上記実施形態では、携帯電話１０と通信可能な基地局２０が変わり又は携帯電話１０が通話圏外となったときに、ＡＰ圏アイコン１３１を非表示とするが、ＡＰ圏アイコン１３１を非表示とするタイミングはこれに限定されず、携帯電話１０と通信可能な基地局２０が変わらず、且つ、受信されるこの基地局２０の電波の電波強度が所定の閾値ＴＤ以下となったときに、ＡＰ圏アイコン１３１を非表示としてもよい。
具体的には、制御部１８０は、無線通信部１０１を介して定期的に受信した電波に含まれる基地局ＩＤが変わらず、且つ、この基地局ＩＤに対応する基地局２０の電波の電波強度が所定の閾値ＴＤ以下となったときに、ＡＰ圏アイコン１３１を非表示とすればよい。
【００４８】
この発明は上記の実施形態に限定されず、種々の変形及び応用が可能である。例えば、上記説明において示したハードウェアの構成及び動作は一例でありこれらに限定されるものではなく、適宜変更及び応用が可能である。
【００４９】
本実施形態では、制御部１８０は、ＡＰ圏アイコン１３１を表示又は非表示にすることによって、ＡＰ３０と接続することができるか否かをユーザに通知するが、ユーザへの通知方法はこれに限定されず、例えば、ＡＰ３０と接続できなくなったときに、所定のインジケータを点滅したり、警告音を発したりしてもよい。
【００５０】
本実施形態では、ユーザの操作指示に応答して、制御部１８０が図５に示すＡＰ接続解除処理を実行するが、ＡＰ３０に接続した後、所定期間のデータの転送量が所定の閾値Ｐ以下であった場合、即ち、無線ＬＡＮを利用していない場合に、前述したＡＰ接続解除処理を実行するようにしてもよい。
【００５１】
上記の実施形態の一部又は全部は、以下の付記のようにも記載されうるが、以下には限られない。
【００５２】
（付記１）複数の基地局と無線通信する無線通信手段と、
無線ＬＡＮのアクセスポイントと無線通信する無線ＬＡＮ通信手段と、
前記アクセスポイントとの接続を解除したときに、前記アクセスポイントとの接続が可能であることを通知するＡＰ接続可能通知手段と、
前記無線通信手段が受信した前記基地局の電波に基づいて、前記アクセスポイントとの接続ができないことを通知するＡＰ接続不能通知手段と、
を備えることを特徴とする携帯端末。
【００５３】
（付記２）前記ＡＰ接続不能通知手段は、
前記無線通信手段が通信する前記基地局が変わったときに、前記アクセスポイントとの接続ができないことを通知する、
ことを特徴とする付記１に記載の携帯端末。
【００５４】
（付記３）前記ＡＰ接続不能通知手段は、
前記無線通信手段が前記基地局のいずれとも通信することができないときに、前記アクセスポイントとの接続ができないことを通知する、
ことを特徴とする付記１又は２に記載の携帯端末。
【００５５】
（付記４）前記無線ＬＡＮ通信手段が前記アクセスポイントに接続したときに、該アクセスポイントを識別する識別情報を記憶する識別情報記憶手段、を更に備え、
前記ＡＰ接続不能通知手段は、
前記無線通信手段が通信する前記基地局が変わったとき又は前記無線通信手段が前記基地局のいずれとも通信することができないときに、前記識別情報記憶手段に記憶した識別情報が付された前記アクセスポイントをサーチするサーチ手段と、
前記サーチ手段が前記アクセスポイントを見つけることができないときに、前記アクセスポイントとの接続ができないことを通知する通知手段と、を備える、
ことを特徴とする付記１乃至３のいずれか１項に記載の携帯端末。
【００５６】
（付記５）前記ＡＰ接続不能通知手段は、
前記無線通信手段と通信する前記基地局が変わらず、且つ、前記無線通信手段によって受信される該基地局の電波の電波強度が所定の閾値以下となったときに、前記アクセスポイントとの接続ができないことを通知する、
ことを特徴とする付記１に記載の携帯端末。
【００５７】
（付記６）複数の基地局と無線通信する無線通信工程と、
無線ＬＡＮのアクセスポイントと無線通信する無線ＬＡＮ通信工程と、
前記アクセスポイントとの接続を解除したときに、前記アクセスポイントとの接続が可能であることを通知するＡＰ接続可能通知工程と、
前記無線通信手段が受信した前記基地局の電波に基づいて、前記アクセスポイントとの接続ができないことを通知するＡＰ接続不能通知工程と、
を備えることを特徴とする通信方法。
【００５８】
（付記７）コンピュータに、
複数の基地局と無線通信する無線通信手順と、
無線ＬＡＮのアクセスポイントと無線通信する無線ＬＡＮ通信手順と、
前記アクセスポイントとの接続を解除したときに、前記アクセスポイントとの接続が可能であることを通知するＡＰ接続可能通知手順と、
前記無線通信手段が受信した前記基地局の電波に基づいて、前記アクセスポイントとの接続ができないことを通知するＡＰ接続不能通知手順と、
を実行させることを特徴とするプログラム。
【符号の説明】
【００５９】
１０    携帯電話
２０    基地局
３０    ＡＰ
１００  無線通信システム
１０１  無線通信部
１１０  無線ＬＡＮ通信部
１２０  操作部
１３０  表示部
１３１  ＡＰ圏アイコン
１４０  コーデック部
１５０  スピーカ
１６０  マイク
１７０  記憶部
１８０  制御部
１７０１  接続情報記憶部
１７０２  基地局情報記憶部
１７０３  プロファイルＤＢ
【図１】
0005725545.tif 000002
【図２】
0005725545.tif 000003
【図３】
0005725545.tif 000004
【図４】
0005725545.tif 000005
【図５】
0005725545.tif 000006
【図６】
0005725545.tif 000007
【図７】
0005725545.tif 000008